(57)【要約】【課題】透光性カバーを固定する固定部材の負担を軽減しつつ遮光部材をＬＥＤ照明装置に容易に取り付けることできるＬＥＤ照明ユニットを提供する。【解決手段】ＬＥＤ照明ユニット１は、高所に取り付けられる屋外灯であって少なくとも下方を照明するＬＥＤ照明装置２と、ＬＥＤ照明装置から特定方向に出射された光を遮る遮光部材３とを備え、ＬＥＤ照明装置２は、複数個のＬＥＤをＬＥＤ基板に実装してなる光源部と、光源部が取り付けられる器具本体２５と、器具本体２５に取り付けられ且つ光源部を覆う透光性カバー２６とを備え、遮光部材３は器具本体２５に着脱自在に装着されている。【選択図】図４
2017069171.tif 000002
【特許請求の範囲】
【請求項１】
少なくとも下方と側方とを照明するＬＥＤ照明装置と、前記ＬＥＤ照明装置から側方の特定方向に出射された光を遮る遮光部材とを備えるＬＥＤ照明ユニットにおいて、
前記ＬＥＤ照明装置は、複数個のＬＥＤをＬＥＤ基板に実装してなる光源部と、前記光源部が取り付けられる器具本体と、前記器具本体に取り付けられ且つ前記光源部を覆う透光性カバーとを備え、
前記遮光部材は前記透光性カバーの側方の少なくとも一部を覆う状態で前記器具本体に着脱自在に装着されている
ＬＥＤ照明ユニット。
【請求項２】
前記器具本体は上方に突出する突出部を有し、
前記遮光部材は前記突出部が挿入される貫通孔を有し、
前記遮光部材は、前記突出部が前記貫通孔に下方から挿入し且つ前記器具本体に下面が当接する状態で、前記器具本体に装着されている
請求項１に記載のＬＥＤ照明ユニット。
【請求項３】
前記器具本体は上方から見たときに矩形状又は矩形状に近い形状をし、
前記突出部は前記器具本体の角部に設けられている角側突出部であり、
前記遮光部材の前記貫通孔は少なくとも２つあり、当該貫通孔は前記器具本体の長辺の両側に存在する角側突出部用の角側貫通孔である
請求項２に記載のＬＥＤ照明ユニット。
【請求項４】
前記器具本体は前記遮光部材を固定する固定部を有し、
前記遮光部材は前記固定部に対応する位置に固定部材が挿通するための固定用貫通孔を有し、
前記角側突出部が前記角側貫通孔に挿入して位置決めされた状態で前記固定部材が前記固定用貫通孔を挿通して前記固定部に固定されることにより前記遮光部材が前記器具本体に固定されている
請求項３に記載のＬＥＤ照明ユニット。
【請求項５】
前記遮光部材は、前記透光性カバーに対向する領域を少なくとも含む部位が金属材料により構成され、前記角側貫通孔と前記固定用貫通孔とを有する取付部と、前記取付部から前記透光性カバー側へと延伸する遮光板部とを有する
請求項４に記載のＬＥＤ照明ユニット。
【発明の詳細な説明】
【技術分野】
【０００１】
本開示は、主に屋外に使用されるＬＥＤ照明ユニットに関する。
【背景技術】
【０００２】
道路に設置された支柱等の高所に取り付けられる防犯灯は、その設置環境により照射方向を制限する場合がある。例えば、防犯灯が設置された道路に隣接して住宅家屋が存在すると、住宅家屋側に光が向かうのを制限する。このような特定方向に向かう光を遮光する遮光部材を簡単な構造で備える防犯灯が提案されている（例えば特許文献１）。
特許文献１の防犯灯は、器具本体（１０）にＬＥＤ光源（２５）を収め、ＬＥＤ光源（２５）の放射光が出射される器具本体（１０）の出射開口（１２）をグローブ（１３）で覆い、グローブ（１３）の外側に、ＬＥＤ光源（２５）に対応させてグローブ（１３）より出射される光を遮光する遮光部材（７０）を配置している。
器具本体はベースケース体（２０）と下カバー体（２１）とを備える。下カバー体（２１）は、出射開口（１２）を有し、この出射開口（１２）を塞ぐグローブ（１３）を内側に備える状態でベースケース体（２０）にネジ（７６）により固定されている。遮光部材（７０）はネジ（７６）を利用して下カバー体（２１）に設けられている。
【先行技術文献】
【特許文献】
【０００３】
【特許文献１】特開２０１４−１２７４２０号公報
【発明の概要】
【発明が解決しようとする課題】
【０００４】
特許文献１の防犯灯では、遮光部材（７０）とグローブ（１３）と下カバー体（２１）とがネジ（７１）によりベースケース体（２０）に固定されている。このため、固定部材であるネジ（７６）に作用する負担が大きくなるという課題がある。なお、特許文献１におけるグローブ（１３）は本明細書において透光性カバーとして説明している。
【０００５】
本開示は、このような課題に着目してなされたものであって、透光性カバーを固定する固定部材に作用する負担を軽減しつつ遮光部材をＬＥＤ照明装置に容易に取り付けることできるＬＥＤ照明ユニットを提供することである。
【課題を解決するための手段】
【０００６】
本開示は、上記目的を達成するために、ＬＥＤ照明ユニットは、少なくとも下方と側方とを照明するＬＥＤ照明装置と、前記ＬＥＤ照明装置から側方の特定方向に出射された光を遮る遮光部材とを備えるＬＥＤ照明ユニットにおいて、前記ＬＥＤ照明装置は、複数個のＬＥＤをＬＥＤ基板に実装してなる光源部と、前記光源部が取り付けられる器具本体と、前記器具本体に取り付けられ且つ前記光源部を覆う透光性カバーとを備え、前記遮光部材は前記透光性カバーの側方の少なくとも一部を覆う状態で前記器具本体に着脱自在に装着されている。
【発明の効果】
【０００７】
この構成によれば、遮光部材は器具本体に着脱自在に装着されているため、透光性カバーを器具本体に固定する固定部材に作用する負担を軽減できる。
【図面の簡単な説明】
【０００８】
【図１】実施形態のＬＥＤ照明ユニットを斜め上方から見た図である。
【図２】ＬＥＤ照明ユニットを正面から見た図である。
【図３】ＬＥＤ照明ユニットを側方から見た図である。
【図４】ＬＥＤ照明ユニットの分解状態を斜め上方から見た図である。
【図５】ＬＥＤ照明装置の分解状態を斜め上方から見た図である。
【図６】ＬＥＤ照明装置の分解状態を斜め下方から見た図である。
【図７】ＬＥＤ照明ユニットの断面図である。
【図８】ＬＥＤ、筒状反射体及び遮光部材の位置関係を説明する図である。
【発明を実施するための形態】
【０００９】
＜概要＞
本開示の一実施形態に係るＬＥＤ照明ユニットは、少なくとも下方と側方とを照明するＬＥＤ照明装置と、前記ＬＥＤ照明装置から側方の特定方向に出射された光を遮る遮光部材とを備えるＬＥＤ照明ユニットにおいて、前記ＬＥＤ照明装置は、複数個のＬＥＤをＬＥＤ基板に実装してなる光源部と、前記光源部が取り付けられる器具本体と、前記器具本体に取り付けられ且つ前記光源部を覆う透光性カバーとを備え、前記遮光部材は前記透光性カバーの側方の少なくとも一部を覆う状態で前記器具本体に着脱自在に装着されている。
本開示の他の実施形態に係るＬＥＤ照明ユニットにおいて、前記器具本体は上方に突出する突出部を有し、前記遮光部材は前記突出部が挿入される貫通孔を有し、前記遮光部材は、前記突出部が前記貫通孔に下方から挿入し且つ前記器具本体に下面が当接する状態で、前記器具本体に装着されている。これにより、遮光部材を安定した状態で器具本体に装着できる。
本開示の他の実施形態に係るＬＥＤ照明ユニットにおいて、前記器具本体は上方から見たときに矩形状又は矩形状に近い形状をし、前記突出部は前記器具本体の角部に設けられている角側突出部であり、前記遮光部材の前記貫通孔は少なくとも２つあり、当該貫通孔は前記器具本体の長辺の両側に存在する角側突出部用の角側貫通孔である。これにより、遮光部材を安定した状態で器具本体に装着できる。
本開示の他の実施形態に係るＬＥＤ照明ユニットにおいて、前記器具本体は前記遮光部材を固定する固定部を有し、前記遮光部材は前記固定部に対応する位置に固定部材が挿通するための固定用貫通孔を有し、前記角側突出部が前記角側貫通孔に挿入して位置決めされた状態で前記固定部材が前記固定用貫通孔を挿通して前記固定部に固定されることにより前記遮光部材が前記器具本体に固定されている。これにより、遮光部材をより安定な状態で器具本体に容易に装着することができる。
本開示の他の実施形態に係るＬＥＤ照明ユニットにおいて、前記遮光部材は、前記透光性カバーに対向する領域を少なくとも含む部位が金属材料により構成され、前記角側貫通孔と前記固定用貫通孔とを有する取付部と、前記取付部から前記透光性カバー側へと延伸する遮光板部とを有する。これにより、遮光機能を簡単な構造で発揮させることができる。
＜実施形態＞
以下、本開示の実施形態のＬＥＤ照明ユニットについて、図１〜図８を用いて説明する。実施形態のＬＥＤ照明ユニットは、設置間隔が２０［ｍ］で皮相電力が２０［ＶＡ］となるＬＥＤ防犯灯である。
【００１０】
１．全体
図１〜図４を用いて説明する。
ＬＥＤ照明ユニット１はＬＥＤ照明装置２と遮光部材３とを備える。遮光部材３はＬＥＤ照明装置２に対して着脱自在に設けられる。ＬＥＤ照明ユニット１は、取付具４を介して電柱等の設置用ポール（図示省略）に下向きで取り付けられ、下方及びその周辺を照らす防犯灯として用いられる。
ＬＥＤ照明装置２は少なくとも下方と側方とを照明する。ここでは、ＬＥＤ照明装置２は、下方と、下方両側に位置する斜め下方（「側方」に相当する）とを照明する。遮光部材３はＬＥＤ照明装置２から一方の斜め下方（側方の特定方向の一例に相当する）に出射された光を遮る。なお、ＬＥＤ照明装置２を遮光部材３を付けずに使用することも可能である。
遮光部材３はＬＥＤ照明装置２の透光性カバー２６の側方の少なくとも一部を覆う状態でＬＥＤ照明装置２の器具本体２５に装着される。なお、遮光部材３を器具本体２５に固定する固定部材は透光性カバー２６を器具本体２５に固定する固定部材と異なる。
【００１１】
２．ＬＥＤ照明装置
主に図５及び図６を用いて説明する。
ＬＥＤ照明装置２は、少なくとも、光源部２１と、光源部２１が取り付けられる器具本体２５と、器具本体２５に取り付けられ且つ光源部２１を覆う透光性カバー２６とを備える。なお、遮光部材３は器具本体２５に着脱自在に装着される。
ＬＥＤ照明装置２は、上記光源部２１、器具本体２５、透光性カバー２６以外に、光源部２１が取り付けられる光源取付部２２、光源部２１から発光された光を所定の方向に配光する反射部２３、光源部２１に電力を供給する電源回路部２４の少なくとも１つを備えてもよい。
本実施形態のＬＥＤ照明装置２は、光源部２１、光源取付部２２、反射部２３、電源回路部２４とを器具本体２５及び透光性カバー２６からなる筐体に収容してなる。なお、ＬＥＤ照明装置２の器具本体２５が設置用ポールなどの取付対象に取り付けられる。
【００１２】
（１）光源部
光源部２１は、複数個のＬＥＤ２１１と、これらを実装するＬＥＤ基板２１２とから構成される。光源部２１は複数の方向を向くように配された複数枚のＬＥＤ基板２１２を備える。例えば、複数枚のＬＥＤ基板２１２は、下方を向く第１ＬＥＤ基板２１２ａ、斜め下方であって下方に近い方向を向く第２ＬＥＤ基板２１２ｂ、斜め下方であって側方に近い方向を向く第３ＬＥＤ基板２１２ｃの３種類から構成される。なお、第１ＬＥＤ基板２１２ａとＬＥＤ２１１とで構成される光源部を第１光源部ともいい、第２ＬＥＤ基板２１２ｂとＬＥＤ２１１とで構成される光源部を第２光源部ともいい、第３ＬＥＤ基板２１２ｃとＬＥＤ２１１とで構成される光源部を第３光源部ともいう。
【００１３】
（２）器具本体
器具本体２５は、透光性カバー２６と共に収容空間を形成するカバー本体２５１と、設置用ポール（正確には取付具４である）に取り付ける固定金具２５２とを有する。本実施形態では、カバー本体２５１が樹脂製であり、固定金具２５２は言うまでもなく金属製である。例えば、器具本体２５は、インサート成形法によって固定金具２５２とカバー本体２５１とが一体に形成されてなる。固定金具２５２は、図７に示すように、一部がカバー本体２５１の内部に露出するようにカバー本体２５１に設けられている。固定金具２５２はカバー本体２５１の天面に対して傾斜する。これにより、ＬＥＤ照明装置２は斜め下方を向く姿勢となる。なお、ＬＥＤ照明装置２は、下方を向くのであれば、真下を向いていても斜め下を向いていてもよい。
【００１４】
カバー本体２５１は上方から見たときに長尺状をしている。上方から見たときのカバー本体２５１の長手方向は取付対象を中心とする極座標における径方向である。カバー本体２５１は上方に突出する突出部を複数個有する。ここでのカバー本体２５１は、図１〜５に示すように、上方から見たときに矩形状に近い形状をし、上方へ突出する角側突出部２５１ａを角部（４隅）に有する。カバー本体２５１は、長手方向の一端側（取付具４側である）であって短手方向両側に存在する（取付具４側に位置する短辺の両側に存在する）２つの角側突出部２５１ａ間の中央を通り且つ長手方向と平行な仮想線上に上方へ突出する中間突出部２５１ｃを有する。
【００１５】
カバー本体２５１は、長手方向の一端側であって短手方向両側に存在する２つの角側突出部２５１ａ間の中央を通り且つ長手方向と平行な仮想線上に固定部材が固定される固定部とを有する。固定部は固定部材の一例であるネジｖ４が螺合するネジ孔２５２ｂにより構成されている。これにより、ＬＥＤ照明装置２を上方から見たときに、４つの角側突出部２５１ａと中間突出部２５１ｃとネジ孔２５２ｂとが前記仮想線に対して線対称の位置関係となる。
角側突出部２５１ａはネジ穴２５１ｂ（図６）を有する角側ボス部により構成されている。ネジ穴２５１ｂには透光性カバー２６を器具本体２５（カバー本体２５１）に取り付けるためのネジｖ２が螺合する。これにより角側突出部２５１ａを有効に利用できる。
中間突出部２５１ｃは、図７に示すように、ネジ穴２５１ｅを有する中間ボス部により構成されている。ネジ穴２５１ｅには電源回路部２４のアース用の配線２４５を固定金具２５２に接続するためのネジｖ１が螺合する。ネジｖ１は光源取付部２２を器具本体２５に固定する機能も有している。これにより中間突出部２５１ｃを有効に利用できる。
遮光部材３を固定するためのネジ孔２５２ｂは、器具本体２５の固定金具２５２の露出している部分に設けられている。これにより、光源部２１、電源回路部２４を収容するカバー本体２５１にネジ孔を設ける必要がなく、屋外での水対策が不要となる。また、樹脂製のカバー本体２５１に形成したネジ孔よりもネジｖ１の負荷を大きくできる。
【００１６】
カバー本体２５１は、図２及び図４に示すように、長手方向に延伸する平坦部２５１ｆを短手方向の両端に有すると共に、短手方向の中央部分２５１ｇが平坦となるように上方へ膨出する膨出部２５１ｈを前記２つの平坦部２５１ｆ間に有する。カバー本体２５１は、各平坦部２５１ｆにおける長手方向の両側に角側突出部２５１ａを、短手方向の中央部分２５１ｇに中間突出部２５１ｃをそれぞれ有する。
固定金具２５２は板部材をコ字状に湾曲させたような形状をしている。固定金具２５２は、図４に示すように、矩形状の平板部２５２ａと、平板部２５２ａの短手方向の両端から下方へ屈曲する一対の屈曲板部２５２ｃとを有する。平板部２５２ａであってカバー本体２５１から露出している部分にネジ孔２５２ｂが設けられている。一対の屈曲板部２５２ｃであってカバー本体２５１から露出している部分が取付具４に取り付けられる。なお、屈曲板部２５２ｃの露出部分には取付具４への取付用の貫通孔２５２ｄが上下に間隔をおいて設けられている。一対の屈曲板部２５２ｃには補強用の連結板２５３が設けられている。
【００１７】
（３）光源取付部
光源取付部２２は締結具の一例であるネジｖ１を介して器具本体２５のカバー本体２５１に着脱可能に取り付けられる。光源取付部２２は、図６に示すように、ＬＥＤ基板２１２が取り付けられる長尺状の平板部２２１，２２２，２２３を有する。複数の平板部２２１，２２２，２２３は短手方向に所定の角度を有して連結されている。角度を有することで平板部２２１，２２２，２２３の裏側に電源回路部２４を収容するための電源収容空間ＳＰ１が形成される。
【００１８】
複数の平板部は、これらのうち最も真下を向く第１平板部２２１と、第１平板部２２１の短手方向に隣り合う２つの第２平板部２２２と、各第２平板部２２２における短手方向であって第１平板部２２１と反対側に隣り合う２つの第３平板部２２３とである。
第１平板部２２１は短手方向が略水平となるように下方を向いている。第１平板部２２１には第１ＬＥＤ基板２１２ａがネジ等により固定される。第２平板部２２２は第１平板部２２１に対して所定の角度で傾斜し且つ第１平板部２２１よりも側方を向いている。第２平板部２２２には第２ＬＥＤ基板２１２ｂがネジ等により固定される。第３平板部２２３は第２平板部２２２に対して所定の角度で傾斜し且つ第２平板部２２２よりも側方を向いている。第３平板部２２３には第３ＬＥＤ基板２１２ｃがネジ等により固定される。
【００１９】
光源取付部２２は第１平板部２２１の長手方向の両端部に器具本体２５に固定される対をなすアーム２２４，２２５を有する。対をなすアーム２２４，２２５の少なくとも一部は平板部２２１，２２２，２２３の長手方向に沿って見た場合に電源収容空間ＳＰ１と重なっている。アーム２２４，２２５は電源収容空間ＳＰ１に挿通する通気孔２２６を有する。アーム２２４，２２５は第１平板部２２１と反対側に位置する端部に第１平板部２２１と平行な取付部２２７，２２８を有する。取付部２２７，２２８にはネジｖ１用の貫通孔２２７ａ，２２８ａが設けられている。
【００２０】
（４）反射部
反射部２３はここでは複数ある。具体的には、反射部２３は、第１光源部用の第１筒状反射体２３１ａと第１連結反射体２３２ａとからなる第１反射部２３ａと、第２光源部用の第２筒状反射体２３１ｂと第２連結反射体２３２ｂとからなる第２反射部２３ｂと、第３光源部用の第３筒状反射体２３１ｃと第３連結反射体２３２ｃとからなる第３反射部２３ｃとがある。なお、反射部、筒状反射体及び連結反射体において、第１を示す「ａ」、第２を示す「ｂ」、第３を示す「ｃ」は、これらの第１〜第３を区別しない場合は、単に、反射部２３、筒状反射体２３１及び連結反射体２３２として表す。なお、反射部は１つであってもよい。
【００２１】
筒状反射体２３１において、ＬＥＤ２１１に近い側の開口が入射口であり、遠い側の開口が出射口である。ＬＥＤ２１１で発光された光は、筒状反射体２３１の入射口から筒内に入射し、その後出射口から出射される。筒状反射体２３１は入射口から出射口へと移るに従って拡径するコーン状をしている。筒状反射体２３１の周壁の内面は回転放物面となっている。
連結反射体２３２は列状に配列された複数個の筒状反射体２３１の出射口を連結する。第１〜第３反射部２３ａ，２３ｂ，２３ｃは、光源取付部２２の平板部２２１，２２２，２２３にネジ等の締着具（図示省略）を介して取り付けられる。本実施形態では、筒状反射体２３１は、入射口が１つのＬＥＤ２１１を囲むように配置されており、筒状反射体２３１とＬＥＤ２１１とが一対一の関係で対応しているが、この関係に限定されない。例えば、入射口が複数のＬＥＤを囲むように筒状反射体が配置され、筒状反射体とＬＥＤとが一対多の関係で対応してもよい。
【００２２】
連結反射体２３２は透光性カバー２６で反射して戻ってきた光を透光性カバー２６へ向けて反射させる。本実施形態では、連結反射体２３２は板状に形成されているが、これに限定されず、その形状は種々変更可能である。
【００２３】
なお、本実施形態では、筒状反射体２３１の内面は回転放射面であるが、これに限定されない。例えば、縦断面がテーパ状平坦面であってもよい。勿論、光を遠方に配光するためには、回転放物面であることが好ましい。
反射部２３は各連結反射体２３２ａ，２３２ｂ，２３２ｃの長手方向の両側に補助反射体２３３，２３４を備える。補助反射体２３３，２３４は、各連結反射体２３２ａ，２３２ｂ，２３２ｃに対応して水平面や傾斜面を有し、締結体（図示省略）により光源取付部２２に固定されている。補助反射体２３３，２３４は透光性カバー２６で反射して戻ってきた光を透光性カバー２６へ向けて反射させる。
【００２４】
（５）電源回路部
電源回路部２４は回路基板２４１と回路部品２４２とから構成される。回路部品２４２は、図面では１個しか現れていないが、複数個ある。回路部品２４２は電源回路を構成する。電源回路部２４は複数の平板部２２１，２２２，２２３の背部側にある電源収容空間ＳＰ１に配置されている。電源回路部２４は光源取付部２２に直接又は間接的に支持されている。本実施形態では、電源回路部２４は第１平板部２２１に取り付けられた反射部２３（第１連結反射体２３２ａ）に支持されている。
【００２５】
具体的には、第１連結反射体２３２ａから複数の棒状の支持アームが電源収容空間ＳＰ１にまで延びており、当該支持アームの先端にある係止爪によって電源回路部２４が保持（係止）されている。第１連結反射体２３２ａは締着具（図示省略）を介して第１平板部２２１に固定されている。その結果、電源回路部２４は光源取付部２２（第１平板部２２１）に間接的に支持されている。
電源回路部２４は絶縁シート材２７によって光源取付部２２と絶縁されている。電源回路部２４は照度センサ２４３を有している。照度センサ２４３は、カバー本体２５１に形成された透光窓２５１ｉを介して外部の光を受け、装置周辺の照度を検出する。電源回路部２４は、照度センサ２４３の検出結果に基づいて、照度に応じて照明のオンオフを制御する。なお、照度センサ２４３は配線パイプ２４４を介して電気的、機械的に回路基板２４１に接続されている。
【００２６】
ＬＥＤ基板２１２、反射部２３及び電源回路部２４は、器具本体２５に対して関連づけられておらず、固定されておらず、接触もしていない。そのため、ＬＥＤ基板２１２、反射部２３及び電源回路部２４は、光源取付部２２と一体に器具本体２５に対して着脱可能となる。
【００２７】
（６）透光性カバー
透光性カバー２６は、上面が開放した（開口する）箱状をする本体部２６１と、本体部２６１の開口から側方外側に張り出す外鍔部２６２とを有する。
本体部２６１は下方から見たときにカバー本体２５１と同様に長尺状をしている。ここでの本体部２６１は下方から見たときに矩形状に近い形状をしている。本体部２６１は、図２及び図６に示すように、矩形状の平坦な底壁２６１ａと、底壁２６１ａの短手方向の端部（長手方向に沿っている）の一対の長側壁２６１ｂと、底壁２６１ａの長手方向の端部（短手方向に沿っている）の一対の短側壁２６１ｃとを有している。
一対の長側壁２６１ｂは開口から底壁２６１ａに近づくに従ってその間隔が小さくなるように傾斜している。一対の短側壁２６１ｃは開口から底壁２６１ａに近づくに従ってその間隔が小さくなるように傾斜している。
外鍔部２６２にはネジｖ２用の貫通孔２６２ａが設けられている。透光性カバー２６の取付は貫通孔２６２ａを挿通してカバー本体２５１のネジ穴２５１ｂに螺合するネジｖ２により行われる。なお、透光性カバー２６とカバー本体２５１とはパッキン２８を介して一体化される。
【００２８】
３．遮光部材
主に図４を用いて説明する。
遮光部材３は透光性カバー２６の側方の少なくとも一部を覆う状態で器具本体２５（カバー本体２５１）に装着される。遮光部材３は、器具本体２５に取り付けるための取付部３１と、ＬＥＤ照明装置２から側方の特定方向に出射された光を遮る遮光板部３２とを備える。
取付部３１は、器具本体２５の長手方向に隣接する２つ（器具本体２５の長辺の両側に位置する２つ）の角側突出部２５１ａが挿入するための角側貫通孔３１１，３１２と、器具本体２５の固定部に固定される固定部材が挿通するための固定用貫通孔３１４とを有する。取付部３１は、角側貫通孔３１１，３１２、固定用貫通孔３１４以外に、器具本体２５の中間突出部２５１ｃが挿入するための中間貫通孔３１３を有する。なお、ここでは、固定部材の一例としてネジｖ４が利用され、器具本体２５の固定部はネジ孔２５２ｂであり、遮光部材３はネジｖ４により器具本体２５に螺着される。これにより、器具本体２５の角側突出部２５１ａが角側貫通孔３１１，３１２に挿入し、遮光部材３４がＬＥＤ照明装置２に対して位置決めされた状態となる。
【００２９】
取付部３１は、器具本体２５の長手方向に延伸する第１長手延伸部３１５を有している。第１長手延伸部３１５は器具本体２５（カバー本体２５１）の平坦部２５１ｆに当接する。
取付部３１は、第１長手延伸部３１５における長手方向の端部であって中間突出部２５１ｃが存在する側の端部から短手方向に延伸する短手延伸部３１６を有している。角側貫通孔３１１，３１２は、第１長手延伸部３１５の長手方向の他端部３１５ａと、短手延伸部３１６における第１長手延伸部３１５に近い部分３１６ａとに設けられている。
短手延伸部３１６は、短手方向（器具本体２５の短手方向と同じ方向である）の第１長手延伸部３１５と反対側に位置する部分に平坦部分３１６ｂを有している。平坦部分３１６ｂは器具本体２５の短手方向の中央部分２５１ｇに当接する。平坦部分３１６ｂに中間貫通孔３１３が設けられている。なお、短手延伸部３１６における第１長手延伸部３１５に近い部分３１６ａと平坦部分３１６ｂとを結ぶ連結部分はカバー本体２５１の膨出部２５１ｈに対応して傾斜している。なお、連結部分は平坦部分３１６ｂが高くなるように傾斜している。
【００３０】
取付部３１は、短手延伸部３１６における短手方向（器具本体２５の長手方向と同じ方向である）の端部であって第１長手延伸部３１５が存在しない側（取付具４が存在する側である）の端部から短手延伸部３１６の短手方向の外方（取付具４が存在する側）へと延伸する第２長手延伸部３１７を有している。ネジｖ４用の貫通孔３１４は第２長手延伸部３１７に設けられている。第２長手延伸部３１７は、平坦部分３１７ａと、平坦部分３１７ａにおける延伸方向と直交する方向の両側から下方に延伸する延伸部分３１７ｂとを有している。第２長手延伸部３１７は断面形状がコ字状をする固定金具２５２に上方から嵌合する。
【００３１】
遮光板部３２は取付部３１から透光性カバー２６の側方へと延伸する。遮光板部３２は、図２に示すように、透光性カバー２６の長側壁２６１ｂに沿うように設けられている。
遮光部材３は第１長手延伸部３１５における短手方向の外方端に遮光板部３２を有する。遮光板部３２において、少なくとも透光性カバー２６の一方の長側壁２６１ｂに対向する領域を少なくとも含む部位が不透明材料により構成されている。換言すると、遮光板部３２の前記部位は光透過性を有しない材料により構成されている。遮光部材３は、ここでは金属材料により構成され、取付部３１と遮光板部３２とを一体に有している。
遮光板部３２は、図８に示すように、特定方向に光を出射するＬＥＤ２１１ｂ，２１１ｃの光軸Ｘ１，Ｘ２との間の角度Ａ，Ｂが略９０[°]となるように構成されている。なお、ここでの略９０[°]とは、７５[°]以上１０５[°]以下の範囲内にある角度を言う。ここでの遮光板部３２は、各ＬＥＤ２１１ｂ，２１１ｃに対応して傾斜角度の異なる面を２つ有している。
【００３２】
遮光板部３２は、図８に示すように、特定方向に光を出射するＬＥＤ２１１ｂ，２１１ｃからの光を遮るように設けられている。つまり、特定方向に光を出射ＬＥＤ２１１ｂ，２１１ｃに設けられた第２筒状反射体２３１ｂ、第３筒状反射体２３１ｃの出射口を覆うように遮光板部３２が設けられている。換言すると、遮光板部３２上に第２筒状反射体２３１ｂと第３筒状反射体２３１ｃとを投影したときに、これらの投影図が遮光板部３２からはみ出さないように構成されている。
【００３３】
４．取付具
図４を用いて説明する。
取付具４は、一対の当接板部４１と、一対の当接板部４１を連結する連結板部４２とを有している。当接板部４１はＬＥＤ照明装置２の固定金具２５２の一対の屈曲板部２５２ｃと当接する。ここでは、一対の当接板部４１は屈曲板部２５２ｃの外面に当接する。当接板部４１は上下に貫通孔４１ａ，４１ｂを有する。ここでは、上側に１つの貫通孔４１ａが、下側に複数個（例えば３個である）の貫通孔４１ｂがそれぞれ設けられている。これにより、ＬＥＤ照明装置２を取付具４に対して３種類の姿勢で取付可能となる。なお、下側の複数個の貫通孔４１ｂは上側の貫通孔４１ａを中心とする円弧上に位置している。
連結板部４２は、当接板部４１における貫通孔４１ａ，４１ｂが設けられている側と反対側（設置用ポールが存在する側である）の端縁を連結する。連結板部４２における一対の当接板部４１間に位置する中間部分４３が、一対の当接板部４１との連結部分４４よりもＬＥＤ照明装置２側に凹入している。これにより、取付具４の連結部分４４が種々のサイズ形状の設置用ポールの外周面に確実に当接することとなる。
【００３４】
本開示は上述した実施形態に何ら限定されるものではない。上記の実施形態で採用している構造を他の任意の実施形態に採用することは可能である。各部の具体的な構成は、上述した実施形態のみに限定されるものではなく、本開示の趣旨を逸脱しない範囲内で種々の改良変更が可能であり、例えば以下の変形例のような構成を組み合わせてもよい。
【００３５】
１．ＬＥＤ照明装置
実施形態でのＬＥＤ照明装置２は、矩形状のＬＥＤ基板２１２を基準にした場合、ＬＥＤ基板２１２の短手方向の外方に位置する側方にも光が出射するように構成されている。しかしながら、ＬＥＤ照明装置はさらにＬＥＤ基板２１２の長手方向の外方に位置する側方にも光が出射するようにしてもよい。この場合、遮光部材は、ＬＥＤ照明装置の透光性カバーの長側壁に沿った長側壁側遮光板部と、透光性カバーの短側壁に沿った短側壁側遮光板部とを備えることで実施できる。
実施形態でのＬＥＤ照明装置２は上方から見たときに矩形状に近い形状をしていたが、例えば、楕円、長円状、これらに近い形状をしていてもよい。但し、他の形状をしていても、遮光部材の取付部の貫通孔に挿入する突出部を複数個備える必要がある。なお、この突出部は上方へ突出する。
実施形態での角側突出部２５１ａ及び中間突出部２５１ｃにはネジ穴２５１ｂ，２５１ｅが設けられていたが、ネジ穴が設けられていなくてもよい。また、突出部の形状が上方から見たときに円形状をしていたが、三角形状等の多角形状や楕円形状等であってもよい。
【００３６】
２．遮光部材
実施形態での遮光部材３は、ＬＥＤ照明装置２を取付具４と反対側から見たとき（つまり、図２である）に、透光性カバー２６の右側の長側壁２６１ｂに沿う遮光板部３２を有していたが、左側の長側壁に沿う遮光板部を有してもよい。
実施形態の遮光板部について特に説明していないが、例えば、透光性カバー２６と対向する面に、光を反射する反射膜を形成してもよいし、光を吸収させる吸収膜を形成してもよいし、酸化膜が残存していてもよい。
実施形態の遮光部材３は、取付部３１と遮光板部３２とを一体に有し、金属材料により構成されているが、遮光板部のみが金属材料で構成されていてもよい。
実施形態の器具本体２５の角側突出部２５１ａと遮光部材３の角側貫通孔３１１，３１２の大きさについて特に説明していないが、角側貫通孔３１１，３１２に角側突出部２５１ａが一旦挿入すると、遮光部材３のＬＥＤ照明装置２に取り付けの際に遮光部材３が傾斜しても角側貫通孔３１１，３１２から角側突出部２５１ａが外れない関係を有することが好ましい。
【００３７】
３．固定部材
実施形態での固定部材はネジｖ４であったが、他の方式の固定部材であってもよい。他の方式の固定部材としてはリベット等がある。リベットの場合、固着部は貫通孔により構成される。
【００３８】
４．ＬＥＤ照明ユニット
実施形態のＬＥＤ照明装置２は設置間隔が２０［ｍ］で皮相電力が２０［ＶＡ］であったが、設置間隔や皮相電力が他のものであってもよい。この場合、角側突出部２５１ａ、中間突出部２５１ｃ及びネジ孔２５２ｂの位置関係を統一しておけば、遮光部材３を共通して利用できる。
【符号の説明】
【００３９】
１      ＬＥＤ照明ユニット
２      ＬＥＤ照明装置
３      遮光部材
４      取付具
２１      光源部
２２      光源取付部
２３      反射部
２４      電源回路部
２５      器具本体
２６      透光性カバー
３１      取付部
３２      遮光板部
２１１    ＬＥＤ
２１２    ＬＥＤ基板
２５１    カバー本体
２５１ａ  角側突出部
２５１ｃ  中間突出部
３１１    角側貫通孔
３１２    角側貫通孔
３１３    中間貫通孔
３１４    貫通孔
【図１】
2017069171.tif 000003
【図２】
2017069171.tif 000004
【図３】
2017069171.tif 000005
【図４】
2017069171.tif 000006
【図５】
2017069171.tif 000007
【図６】
2017069171.tif 000008
【図７】
2017069171.tif 000009
【図８】
2017069171.tif 000010